(57)【要約】      （修正有）【課題】周壁を傾動してコンパクトに折畳むことができると共に、折畳時に上部に内装品等の収納スペースを設けた折畳式コンテナに関する。【解決手段】上部フレーム５に上端が固定された揺動側板３と屈曲側板４とで囲まれた箱型の折畳式コンテナ１において、揺動側板の左右の縁部に取り付けられて第１ヒンジ部Ｈ１の外折れを規制する左右一対の揺動側規制片部８と、揺動側板の第１ヒンジ部を超えた位置から下方まで延びる揺動側支持片部９と、前記屈曲側板の第２ヒンジ部Ｈ２の外折れを規制する屈曲側規制片部６と、前記揺動側板の左右の縁部両端側で第１ヒンジ部に沿って左右の縁部が切り欠かれて、第１ヒンジ部がコンテナ内方へ折曲げられた際に揺動側板が揺動側規制片部に衝合せずに折り曲げられるように形成された切欠部とからなることを特徴とする。【選択図】図１
2014101135.tif 000002
【特許請求の範囲】
【請求項１】
四角形状の底板と、該底板に対応した枠形状に形成された上部フレームと、
該上部フレームの対向する二辺となる揺動側上部フレームに上端が連結され、第１ヒンジ部を介して下方がコンテナ内方へ折れ曲がる一対の揺動側板と、
前記揺動側上部フレームと隣接して対向する二辺となる屈曲側上部フレームに上端が連結され下端が底板に連結又は一体に形成されると共に、上下に離間して平行に延びる第２ヒンジ部と、第３ヒンジ部と、第４ヒンジ部により横倒Ｖ字状に屈曲可能な一対の屈曲側板とからなる折畳式コンテナにおいて、
上端が前記揺動側板の左右の縁部の外側に取り付けられて第１ヒンジ部を超えて下方に延び、第１ヒンジ部の外折れを規制する揺動側規制片部と、
前記揺動側板の左右の縁部にそれぞれ取り付けられて、前記第１ヒンジ部を超えた位置から下方まで延びる揺動側支持片部と、
揺動側板の左右の縁部側で揺動側板の第１ヒンジ部に沿って左右の縁部が切り欠かれて、第１ヒンジ部がコンテナ内方へ折曲げられた際に、揺動側板が揺動側規制片部に衝合せずに折り曲げ可能な切欠部とを有しており、
前記揺動側板が展開し底板上に起立した際に、揺動側規制片部の下端面と揺動側支持片部の上端面とが略隙間無く面接触して支柱構造となることを特徴とする折畳式コンテナ。
【請求項２】
上端が前記屈曲側板の外側に取り付けられて第２ヒンジ部を超えて下方に延びて、第２ヒンジ部の外折れを規制する屈曲側規制片部を有する請求項１に記載の折畳式コンテナ。
【請求項３】
揺動側規制片部と揺動側支持片部とが断面チャンネル状からなっており、揺動側板の左又は右の端縁部に外嵌してなることを特徴とする請求項１に記載の折畳式コンテナ。
【請求項４】
切欠部が、揺動側板の左右の端縁部で第１ヒンジ部の中央の線に沿って揺動側支持片の横幅より僅かに長く切断されて上辺となり、下方に向かって矩形に切りかかれていることを特徴とする請求項１又は２に記載の折畳式コンテナ。
【請求項５】
上部フレームの四隅に、揺動側上部フレームと屈曲側上部フレームとを連結する平面視アングル状のコーナー補強具が固着されており、
コーナー補強具の揺動側上部フレーム側には揺動側規制片部の上部が固着され、コーナー補強具の屈曲側規制片側およびまたは屈曲側上部フレームには、屈曲側規制片部の上部が固着されていることを特徴とする請求項１から３のいずれかに記載の折畳式コンテナ。
【請求項６】
揺動側板の第１ヒンジ部の上方又は下方には、把持用の把手部が形成されていることを特徴とする請求項１から４のいずれかに記載の折畳式コンテナ。
【請求項７】
揺動側支持片部の表面側に上下に延びる掛止溝が形成されており、
屈曲側板の左又は右の縁部に基部が固定され屈曲側板を超えて突出して屈曲側板の側方端面を超えて折り返される鉤部を有する掛止具が設けられており、
屈曲側板の起立時に、起立した揺動側板の前記掛止溝に掛止具の鉤部の先端が掛止められることを特徴とする請求項１から５のいずれかに記載の折畳式コンテナ。
【発明の詳細な説明】
【技術分野】
【０００１】
この発明は、周壁を傾動してコンパクトに折畳むことができると共に、折畳時に上部に内装品等の収納スペースを設けた折畳式コンテナの改良に関する。
【背景技術】
【０００２】
従来、折畳式コンテナとして、実開昭６２−１１０１３２号の折畳容器や、特開平６−１３５４４０号の折畳可能な箱の構造が知られている。
即ち、折畳容器は、トレー状の四角い底板と、該底板と略同じ大きさに形成されたフレーム状の上枠と、上枠の対向する２辺に回動自在に枢着した２枚の揺動側板と、横Ｖ字状の形態に屈曲自在であって前記上枠と底板に上下端を枢着した屈曲側板とからなっている。
そして、前記揺動側板を起立させ、該揺動側板で屈曲側板を真っ直ぐに支えるようにしたもので、揺動側板を内向きに跳ね上げて水平に倒すと屈曲側板の上半分と下半分とが箱の内側に水平となって重なるように折畳まれる構造からなっている。
前者では各側板の折畳に枢軸を用いた蝶番構造を用いていたが、重量が重く構造も複雑となるので、後者では側板にプラスチック製中空体シートを用い、該プラスチック製中空体シートの一方のライナーを残して厚さ方向に切り込んで折曲自在にした水平なヒンジ部を用いて軽量化や簡易化を図っていた。
しかし、プラスチック製中空体シートに薄肉部を設けて断面横倒Ｖ又はＵ字状のヒンジ部を形成する場合には、ヒンジ部の屈曲を規制することができず、組立時に側板を安定して支持することができない。
そこで、プラスチック製中空体シートの厚さの一部を水平に切断してヒンジ部を形成すれば、起立時にヒンジ部の上下の端面を揃えて側板を支持することができるが、ヒンジ部の開く方向が一定方向に決まってしまうため、例えば、各側板の最上段のヒンジ部などでは側板の外面が開口することになり、ヒンジ部の展開の動作中にヒンジ部が側板の外面側で開いた状態から隙間無く閉じられるので、ヒンジ部に外部の異物を挟み込む、または指を挟む虞れがある。
また、切り込みからなるヒンジ部は、起立時に切断面の端面同士を揃える必要があるが、実際にはいずれかにずれてしまい、また残された１枚のライナーの屈曲によりライナーが傷ついたり裂傷が生じやすく耐久性が損なわれるという問題点があった。
【０００３】
そこで、本出願人は、特願２０１１−９４５５４号の折畳式コンテナとして、四角形状の底板と、該底板と略同じ大きさに形成された上部フレームと、該上部フレームの対向する二辺にコンテナ内方側に傾倒可能に上部が連結された一対の揺動側板と、高さ方向の中途位置でコンテナ内方側に屈曲可能であって前記上部フレームで揺動側板が連結された辺と隣接して対向する二辺と底板とに上下両端を枢着した一対の屈曲側板とからなり、底板に前記揺動側板の起立時に揺動側板のコンテナ内方側の動きを規制する規制部を設けた折畳式コンテナにおいて、
揺動側板と屈曲側板とがプラスチック製中空体シートからなっており、
揺動側板の上部に水平に形成されて揺動側板をコンテナ内方側に傾動させる第１ヒンジ部と、
屈曲側板の上部に水平に形成される第２ヒンジ部と、屈曲側板の中間位置に水平に形成される第３ヒンジ部と、屈曲側板の下部に水平に形成される第４ヒンジ部とからなって、屈曲側板を横倒Ｖ字状に屈曲可能とし、
前記第１ヒンジ部から第４ヒンジ部が、薄肉部を有するＶ又はＵ字状の溝形状からなっており、
前記上部フレームに、少なくとも揺動側板の第１ヒンジ部を外側から覆う規制片部が形成されていることを特徴とした構成を提案し、相当の成果を上げている。
即ち、揺動側板と屈曲側板とのヒンジ部に薄肉部を設けた断面Ｖ又はＵ字状の溝をヒンジ部として用いることで、折畳乃至組立時に外部の異物をヒンジ部に挟み込むことなく、且つヒンジ部を繰り返し折曲げても薄肉部に強い負荷がかからず、信頼性及び耐久性を高めることができる。
また、上部フレームに規制片部を設け、底板にストッパを設けることで、揺動側板の起立時に揺動側板を直立姿勢で保持することができるようにしてコンテナの安定性を向上させることができる。
本出願人は、更に、鋭意研究の結果、コンテナの使用時に内部で使用する緩衝材や仕切り等の内装部材を、コンテナの使用後に折畳んだコンテナの上部に収納スペースを設けて、緩衝材及び仕切り等の内装部材を収納して、保管・管理することができる折畳式コンテナの開発を行い、本発明を完成に至った。
【先行技術文献】
【特許文献】
【０００４】
【特許文献１】実開昭６２−１１０１３２号
【特許文献２】特開平６−１３５４４０号
【発明の概要】
【発明が解決しようとする課題】
【０００５】
コンテナの折畳み時に上部に収納スペースを設けるには、揺動側板と屈曲側板のそれぞれの上部のヒンジ部の位置を内装部材が収納可能な深さまで下げる必要がある。
そのためには、上部プレートを前記上部のヒンジ部を超えて下方に延ばすことになるが、上部フレームの巾を広げることにより、重量や材料単価が増加し、また品質面では反りの増加要因となるという不具合があった。
そこで、上部フレームとは別に、揺動側板の左右両側に一対の規制片部を設けて上部のヒンジ部の逆折れを防止し、前記上部のヒンジ部の下方の揺動側板の左右の縁部には、揺動側板の起立展開時に前記規制片部と面で衝合する支持片部を設けて、収納スペースの容量の増大と、コンテナ組立時の耐圧強度の増加を図った折畳式コンテナを提供することにある。
【課題を解決するための手段】
【０００６】
この発明は、上記課題を解決するために、この発明では、
四角形状の底板と、該底板に対応した枠形状に形成された上部フレームと、
該上部フレームの対向する二辺となる揺動側上部フレームに上端が連結され、第１ヒンジ部を介して下方がコンテナ内方へ折れ曲がる一対の揺動側板と、
前記揺動側上部フレームと隣接して対向する二辺となる屈曲側上部フレームに上端が連結され下端が底板に連結又は一体に形成されると共に、上下に離間して平行に延びる第２ヒンジ部と、第３ヒンジ部と、第４ヒンジ部により横倒Ｖ字状に屈曲可能な一対の屈曲側板とからなる折畳式コンテナにおいて、
上端が前記揺動側板の左右の縁部の外側に取り付けられて第１ヒンジ部を超えて下方に延び、第１ヒンジ部の外折れを規制する揺動側規制片部と、
前記揺動側板の左右の縁部にそれぞれ取り付けられて、前記第１ヒンジ部を超えた位置から下方まで延びる揺動側支持片部と、
揺動側板の左右の縁部側で揺動側板の第１ヒンジ部に沿って左右の縁部が切り欠かれて、第１ヒンジ部がコンテナ内方へ折曲げられた際に、揺動側板が揺動側規制片部に衝合せずに折り曲げ可能な切欠部とを有しており、
前記揺動側板が展開し底板上に起立した際に、揺動側規制片部の下端面と揺動側支持片部の上端面とが略隙間無く面接触して支柱構造となることを特徴とする。
【発明の効果】
【０００７】
この発明は、以下のような特有の効果を奏することができる。
（１）揺動側板と屈曲側板の上部のヒンジ部の位置を下方にし、上部フレームの巾を広げずに一対の揺動側規制片部を用いて上部のヒンジ部の逆折れを防止することで、軽量で廉価に、折畳み時の上部の収納スペースを深くし、内装部材の収納を可能とした。
また、揺動側板の左右両側に一対の規制片部は支持片部との合わせ面で荷重を受けて支柱構造とすることでコンテナの耐圧強度を増加させることができる。
（２）屈曲側規制片部を設けることで、第２ヒンジ部の外折れを規制することができる。
（３）揺動側規制片部と揺動側支持片部とを断面チャンネル状とすることで合わせ面の面積を広くして強度を高めることができる。
（４）揺動側板を上部のヒンジ部に沿って折り曲げる際に、側規制片部の内面側の片と衝合しないように切欠部を形成することで、スムーズな折り曲げを実現できる。
（５）上部フレームにコーナー補強部を設けることで、上部フレームの強度を高め、揺動側規制板や屈曲側規制板を固定することができる。
（６）揺動側規制片部又は揺動側板の第１ヒンジ部の下方に把持部を設けることでコンテナの持ち運びが容易となる。また、後者の場合には折畳状態から展開する際に把持部に手を掛けることで、一対の揺動側板の展開が極めて容易に行える。
（７）揺動側支持片部に掛止溝を設けておくことで、コンテナ組み立て時に起立した屈強側板に設けた掛止具の鉤部の先端を、同じく起立した揺動側板の掛止溝に掛け止めることができ、外部からの衝撃で屈曲側板が不意に折畳まれることを防止できる。
【図面の簡単な説明】
【０００８】
【図１】折畳式コンテナの組立状態を示す斜視図である。
【図２】折畳コンテナの折畳状態を示す斜視図である。
【図３】同折畳状態を示す部分断面図である。
【図４】同正面図である。
【図５】組立状態を示す部分正面図である。
【図６】第１ヒンジ部と揺動側規制片部、揺動側支持片部の要部を示す分解斜視図である。
【図７】揺動側板の折畳状態を内面側から見た斜視図である。
【図８】コンテナの左半分を正面から見た分解図である。
【図９】把持部を揺動側規制片部に形成した正面図である。
【図１０】把持部を第１ヒンジ部の下方の揺動側板に設けた正面図である。
【図１１】掛止溝と掛止具を示す斜視図である。
【発明を実施するための形態】
【０００９】
以下に、この発明の折畳式コンテナの好適実施例について図面を参照しながら説明する。
【実施例１】
【００１０】
［折畳式コンテナ］
本実施例の折畳式コンテナ１は、図１から図４、および図８に示すように、方形状の底板２と、該底板２と略同じ大きさに形成された方形枠状の上部フレーム５と、該上部フレーム５の対向する二辺を形成する揺動側上部フレーム５Ａにコンテナ内方側に傾倒可能に上部が連結された一対の揺動側板３と、高さ方向の中途位置でコンテナ内方側に屈曲可能であって前記揺動側上部フレーム５Ａと隣接して対向する二辺を形成する屈曲側上部フレーム５Ｂと底板２とに上下両端を連結した一対の屈曲側板４とからなる上面が開口した箱型に形成されている。
【００１１】
［底板］
前記底板２は、図示例の場合、長方形からなっており、前記揺動側板３の起立時に揺動側板３のコンテナ内方側の揺動を規制するストッパが設けられている。
該ストッパは、図示例の場合、底板側掛止部１０と揺動側掛止部２０との一対構造からなっている。
【００１２】
［底板側掛止部と揺動側掛止部］
前記底板２には、揺動側板３が配置される外端側に、揺動側板３の下端を拘束して起立姿勢を維持する鉤状の底板側掛止部１０が形成されている。
一方、揺動側板３の下端には、揺動側板３が底面２上に起立した際に、前記底板側掛止部１０に着脱可能に係合する鉤状の揺動側掛止部２０が形成されている（図３参照）。
底板側掛止部１０と揺動側掛止部２０とは、上記実施例に限定されず、一対になって係脱する公知の掛止ないし係止構造を用いることができる。
【００１３】
前記底板２，揺動側板３，屈曲側板４を構成する素材は、ポリプロピレン製のプラスチック製中空体シートからなっている。
このプラスチック製中空体シートは、一回の押し出しで一体として吐出・成型されたもの、又は２枚の段ボールライナーの間に中芯を有するものなど、公知のプラスチック製中空体シートを用いることができる。また、ポリプロピレン以外の素材からなる中空体シートや発泡シートでもよい。
【００１４】
［上部フレーム］
上部フレーム５は、底板２と略同じ大きさの長方形状の合成樹脂製の枠体からなっており、断面チャンネル状に形成されており、各側板の上部が嵌合して固定されている。
本実施例で上部フレーム５は、下面が開口する断面チャンネル状の合成樹脂板からなっており、対向する一対の揺動側上部フレーム５Ａと、これと隣接し直交する一対の屈曲側上部フレーム５Ｂと、コンテナのコーナー部を覆うコーナー補強具７とからなっている。
【００１５】
図示例の場合、隣接する揺動側板３と屈曲側板４との角部上部を覆って固定される平面視Ｌ字のコーナー補強具７の間に、揺動側板３の上端に固定される揺動側上部フレーム５Ａ（５Ａ’）と、屈曲側板４の上端に固定される屈曲側上部フレーム５Ｂとが配置されて枠形状となっている。
なお、本実施例では、揺動側上部フレーム５Ａは、図８に示すように、揺動側板３の上端全長に亘って嵌合するチャンネル状のフレームからなっている。
また揺動側板３の両端に外嵌・固定される一対の補強具７間には、前記揺動側上部フレーム５Ａに外嵌するチャンネル状からなって、前記補強具７の段部となる水平面と同一面上になるように上端面を設定し、下端に内向き爪部を設けて前記揺動側上部フレーム５Ａに外嵌し係止されるカバーフレーム５Ａ’が設けられて二重構造となっているが、この発明では上記構造に特に限定しなくてもよい。
また、この発明では、コーナー補強具を設けずに、揺動側上部フレーム５Ａと屈曲側上部フレーム５Ｂだけで枠体を構成してもよいし、その枠体の角部にコーナー補強具７を外嵌する構成でもよい。
【００１６】
［揺動側板］
該上部フレーム５の、図示例では短手方向の一対の辺となる揺動側上部フレーム５Ａと、短手方向の辺の両隅に固定されたコーナー補強具７とに、揺動側板３の上端がそれぞれ固定されている。
揺動側板３には、その上端から収納スペースＳの深さに対応した所定長さの離間位置で、水平に揺動側板３を横断して揺動側板３をコンテナ内方側に傾動させる第１ヒンジ部Ｈ１が形成されている。
【００１７】
［揺動側規制片部］
前記揺動側板３の左右の縁部には、上端がコーナー補強具７に固定されて、後述の第１ヒンジ部Ｈ１を超えて下方に延びる左右一対の揺動側規制片部８が形成されており、第１ヒンジ部Ｈ１の外折れを規制している。
揺動側規制片部８は、合成樹脂板からなっており、揺動側板３の横幅に沿って一連に形成されず、左右両側で部分的に第１ヒンジ部Ｈ１を覆うので、材料が少なく、軽量且つ廉価に制作することができる。
前記揺動側規制片部８は、コーナー補強具７の下端、または揺動側上部フレーム５Ａの下部を延出して形成してもよい。
【００１８】
揺動側規制片部８は、図示例の場合、内方が開口する断面チャンネル状からなっており、第１ヒンジ部Ｈ１の外側を覆う表面側の横幅を広くして外折れを広範囲で防止し、内側を覆う内面側の横幅を狭く設定して、後述の切欠部１５の横幅を狭くして揺動側板３の強度が弱くならないようにしている（図６、図７参照）。
【００１９】
［揺動側支持片部］
前記第１ヒンジ部Ｈ１を超えた位置で、揺動側板３の左右の縁部には、それぞれ揺動側板３の下方まで延びる揺動側支持片部９が固着されている。
該揺動側支持片部９は、前記揺動側規制片部８と同じ幅の溝を有し同じ肉厚に設定された断面チャンネル形状の合成樹脂板からなっており、前記溝に揺動側板３の左右の縁部が嵌合して固定されている。
【００２０】
揺動側規制片部８は、コンテナ組立時に、揺動側板３が展開し底板２上に起立すると、揺動側規制片部８の下端面と揺動側支持片部９の上端面とが略隙間無く面接触するように長さが設定されている。
図示例では、揺動側支持片部９は表面側と内面側の横幅は同じに設定されており、揺動側規制片部８の表面側の横幅より狭く、内面側の横幅より僅かに長く形成されているが、揺動側規制片部８の下端面と揺動側支持片部９の上端面とが所定以上の衝合面積となれば、横幅の長さは特に限定されるものではない。
このように組み立てられたコンテナは、それぞれ揺動側板３の左右の縁部に沿った４個所で、揺動側規制片部８と揺動側支持片部９とが上下に一連に重なり合うので、これらをコンテナの支柱構造として機能させることができ、耐圧強度の増加を図ることができる。
【００２１】
［第１ヒンジ部］
前記第１ヒンジ部Ｈ１は、熱罫線により形成された断面Ｖ字又はＵ字状の溝が揺動側板３のコンテナ内方で開口し、揺動側板３のコンテナ外方寄りに薄肉部１１が形成されている。
従って、第１ヒンジ部Ｈ１の薄肉部１１を屈曲点として揺動側板３はコンテナ内方に枢動させ、垂直姿勢からほぼ水平姿勢に折り曲げることができる。
上記第１ヒンジ部Ｈ１は、プラスチック製中空体シートの目（中芯の延出方向）に対して直交する方向に形成することが強度上好ましい。
【００２２】
上記構成は、第１ヒンジ部Ｈ１に限らず、後述の第２ヒンジ部Ｈ２から第４ヒンジ部Ｈ４の全部又は一部に適用することができる。
熱罫線によりヒンジ部を形成することで、ヒンジ部の破損（裂け、割れ等）を低減でき、ヒンジ部の折曲げ又は展開時の反発を低減でき、ケースに対する変形（膨らみ、開き等）が少なくなり、更に、屈曲側板に対するヒンジ部の加工が同一方向から行える。また、総加工の工数が削減できる。
【００２３】
前記屈曲側板４は、その上端が屈曲側上部フレーム５Ｂの溝内に嵌合して固定されており、該屈曲側板４の下部は底板２に連設されている。
本実施例では、長尺のプラスチック製中空体シートを、中央の２個所で折り曲げて横倒コ字状とし、中央を底板２とし、その両側に延びる一対の片を屈曲側板４としており、屈曲側板４の折畳乃至展開を一体に連動して行えるようにしている。
【００２４】
［屈曲側板］
該屈曲側板４は、揺動側板３と同じ素材からなっており、その上部が左右のコーナー補強具７と屈曲側上部フレーム５Ｂによって固定されており、前記揺動側板３の第１ヒンジ部Ｈ１より少なくとも前記揺動側板３の厚み分より下方位置に第２ヒンジ部Ｈ２が形成されている。
該第２ヒンジ部Ｈ２は、第１ヒンジ部Ｈ２と同様に熱罫線による断面Ｖ字又はＵ字状の溝がコンテナ外方側で開口し、屈曲側板４のコンテナ外方側に薄肉部１２が形成されている。
【００２５】
［第２ヒンジ部〜第４ヒンジ部］
また、屈曲側板４の中途位置には、前記第２ヒンジ部Ｈ２と平行に第３ヒンジ部Ｈ３が形成されている。               
更に、屈曲側板４の下部には、前記第２ヒンジ部Ｈ２、第３ヒンジ部Ｈ３と平行に第４ヒンジ部Ｈ４が形成されている。
これら第３ヒンジ部Ｈ３及び第４ヒンジ部Ｈ４は、第２ヒンジ部Ｈ２と同様に、熱罫線による断面Ｖ字又はＵ字状の溝が屈曲側板４のコンテナ内方側で開口し、屈曲側板４のコンテナ外方側に薄肉部１３、１４が形成されている。
【００２６】
従って、屈曲側板４は、第２ヒンジ部Ｈ２〜第４ヒンジ部Ｈ４によってコンテナ内方へ向かって横倒Ｖ字状に折れ曲がり、第２ヒンジ部Ｈ２から第３ヒンジ部Ｈ３までの上半部分４Ａと、第３ヒンジ部Ｈ３から第４ヒンジ部Ｈ４までの下半部分４Ｂとが上下に水平に重なる折畳姿勢に傾動させることができる。
【００２７】
［屈曲側規制片部］
前記屈曲側板４の外側には、その外側に屈曲側板４と略同じ横幅に設定された屈曲側規制片部６が重ねて配置されており、前記屈曲側板４と共に前記一対のコーナー補強具７と屈曲側上部フレーム５Ｂによって固定されている。
この屈曲側規制片部６は、本実施例では屈曲側板４と同じくポリプロピレン製のプラスチック製中空体シートからなっており、屈曲側板４の第２ヒンジ部Ｈ２を超えて下方に延びている。また、中空体シートはポリプロピレン以外の素材からなる中空体シート、もしくは発泡シートであっても良い。
【００２８】
この屈曲側規制片部６の長さは、第２ヒンジ部Ｈ２を覆って屈曲側規制片部６が外折れしない長さであって、折畳時のコンテナの全高よりも短く設定されていればよい。
また、前記揺動側規制片部８と同様に硬質の合成樹脂板で屈曲側板４の左右両側だけを覆う一対の構造であってもよい。
本実施例では、中央に設けた底板２の両側に直角に折り曲げて固定する熱溶着の部分が形成され、その外側には、同じ向きにＶ又はＵ字状の溝からなる第２ヒンジ部Ｈ２から第４ヒンジ部Ｈ４が形成されるので、上記ヒンジ部の加工をすべて同一面側で行うことができる。
【００２９】
［側板掛止具］
組み立てられたコンテナで起立した揺動側板３と屈曲側板４とを掛止めるために、屈曲側板４にはヒンジ部の近傍に側板掛止具１７が固定されている。
側板掛止具１７は、屈曲側板４の左右の端部側に差し込まれて固定されるチャンネル状の基部１７ａと、該基部１７ａから外方へ延びて直角に折れ曲がり屈曲側板４の側方端面を横切って内向きに折り返される鉤部１７ｂとからなっている
図８、図１１参照）。
【００３０】
一方、揺動側支持片部９の表面側には、外端寄りで、上下に延びる掛止溝１６が形成されている。
そして、屈曲側板４の起立時に、折畳姿勢から起立する揺動側板３の前記掛止溝１６に側板掛止具１７の鉤部１７ｂの先端が係脱可能に掛止められる。
これにより、起立した屈曲側板４と揺動側板３とは、側板掛止具１７を介して起立姿勢を保持することができる。
【００３１】
前記側板掛止具１７をヒンジ部Ｈ２〜Ｈ４のいずれかの近傍に配置することでヒンジ部が不意に屈曲することもない。
掛止溝１６を上下に長く延ばすことで、側板掛止具１７を任意の位置に取り付けることができる。
あるいは、掛止溝１６は、側板掛止具１７の鉤部１７ｂの先端が嵌合する範囲に対応した長さであってもよい。
【００３２】
本実施例では、底板２を屈曲側板３と一連に形成した場合を例示したが、底板２の代わりに同じ形状の連結補助板とし、該連結補助板を別体の底板２の上に一体に固着する構造としてもよい（図示せず）。
【００３３】
［使用方法］
図１のように展開されて箱型に組立られたコンテナ１を折畳む場合は、揺動側板３をコンテナ内方に枢動させる。
その際に、起立した揺動側板３は第１ヒンジ部Ｈ１が揺動側規制片部８によりコンテナ外側への動きが規制されており、更に下端が底板側掛止部１０と揺動側掛止部２０によって直立姿勢で掛け止められ、揺動側板３と屈曲側板４とは側板掛止具１７で掛け止められている。
そこで、揺動側板３の下側にコンテナ内方へ向かって一定以上の力を加えると、揺動側板３が第１ヒンジ部Ｈ１を支点にしてコンテナ内方へ向かって上向きに枢動する。
【００３４】
そして、揺動側板３は水平姿勢まで折畳むことができる。
図示例では一対の揺動側板３は同一面上に揃って折り畳まれている場合を例示したが、上下に平行に重なるようにコンテナの長さを設定してもよい。
一方、屈曲側板４は揺動側板３の傾倒で支えを失なうため、上部フレーム５の重さにより横倒Ｖ字状に折れ曲がり、屈曲側板４の上半部分４Ａと下半部分４Ｂとが上下に揃って水平に重なり合う位置まで枢動する。
【００３５】
この際、第２ヒンジ部Ｈ２は屈曲側規制片部６によりコンテナ外方への動きが規制されているので屈曲側板４をコンテナ内方へ押し込むことで容易に横倒Ｖ字状に折れ曲がり、第３ヒンジ部Ｈ３を介して上半部分４Ａと下半部分４Ｂとが水平姿勢で上下に重なって折畳まれる。
これにより、揺動側板３と二つ折りされた屈曲側板４はいずれも水平姿勢にコンパクトに折畳むことができ、上部フレーム５から第１ヒンジ部Ｈ１までの上部の空間が内装品等の収納スペースＳとなる。
【００３６】
前記コンテナには、把持用の把手部１９を設けることが好ましい。
把手部１９は、揺動側板３の第１ヒンジ部Ｈ１の上方で揺動側上部フレーム５Ａ（５Ａ’）との間に配置すれば、コンテナを搬送する際に便利である（図９参照）。
揺動側板３の第１ヒンジ部Ｈ１に近接した下方に把手部１９を設ければ、折畳時には把手部１９は内側に隠れるが、該把手部１９を持って外向きに広げることで、一気に折畳まれたコンテナを箱状に展開することができる（図８、図１０参照）。
【００３７】
また、図示例では、全部のヒンジ部の溝の開口がコンテナ内方を向くように形成したが、一部又は全部の開口がコンテナ外側を向くように形成してもよい。
またコンテナは、上面を開口した箱型としたが、図示しない公知の蓋を用いて上面を塞ぐようにしてもよい。
この発明は上記実施例に限定されるものではなく、要するにこの発明の要旨を変更しない範囲で種々設計変更しうること勿論である。
【符号の説明】
【００３８】
１    折畳式コンテナ
２    底板
３    揺動側板
４    屈曲側板
４Ａ  上半部分
４Ｂ  下半部分
５    上部フレーム
５Ａ  揺動側上部フレーム
５Ａ’カバーフレーム  
５Ｂ  屈曲側上部フレーム
６    屈曲側規制片部
７    コーナー補強具
８    揺動側規制片部
９    揺動側支持片部
１０    底板側掛止部
１５    切欠部
１６    掛止溝
１７    掛止具
１９    把手部
２０    揺動側掛止部
Ｈ１    第１ヒンジ部
Ｈ２    第２ヒンジ部
Ｈ３    第３ヒンジ部
Ｈ４    第４ヒンジ部 
Ｓ      折畳時の収納スペース
【図１】
2014101135.tif 000003
【図２】
2014101135.tif 000004
【図３】
2014101135.tif 000005
【図４】
2014101135.tif 000006
【図５】
2014101135.tif 000007
【図６】
2014101135.tif 000008
【図７】
2014101135.tif 000009
【図８】
2014101135.tif 000010
【図９】
2014101135.tif 000011
【図１０】
2014101135.tif 000012
【図１１】
2014101135.tif 000013